(57)【要約】【課題】天板付家具の下肢空間を有効に利用し得るパネル並びにパネルの取付構造を提供する。【解決手段】本発明に係るパネル１は、天板付家具Ｔの天板７の縁部下端たる下面７ｂから上方へ向けて立設される立ち上がり片２と、この立ち上がり片２に取り付けられるパネル本体３と、立ち上がり片２とともにパネル本体３を挟持する押さえ片４と、立ち上がり片２と一体をなし天板７の下面７ｂに固定される板状をなす水平片５とを具備することを特徴とする。また上記パネル取付部７２に当該パネル１を取り付ける構造が、本実施形態に係るパネル１の取付構造Ｘである。【選択図】図６
2018186861.tif 000002
【特許請求の範囲】
【請求項１】
天板付家具の天板の縁部下端から上方へ向けて立設される立ち上がり片と、
この立ち上がり片に取り付けられるパネル本体と、
前記立ち上がり片とともに前記パネル本体を挟持する押さえ片と、
前記立ち上がり片と一体をなし天板の下面に固定される板状をなす水平片と
を具備することを特徴とするパネル。
【請求項２】
前記パネル本体の下端が前記水平片の上端と略同じ高さ位置にある請求項１記載のパネル。
【請求項３】
前記押さえ片が前記パネル本体の略全幅に亘って延出している請求項１又は２記載のパネル。
【請求項４】
前記立ち上がり片が前記パネル本体の略全幅に亘って延出している請求項１〜３の何れかに記載のパネル。
【請求項５】
前記パネル本体が透光性を有さないものである請求項１〜４の何れかに記載のパネル。
【請求項６】
前記パネル本体が、前記立ち上がり片及び前記押さえ片の何れか一方を他方へ向けて突出する挿通部を挿通させるための挿通孔を有するものであり、
この挿通孔が、角部分にアールが付された形状をなす請求項１〜５の何れかに記載のパネル。
【請求項７】
前記挿通孔が、前記挿通部の形状よりも大きく形成されたものであり、
前記挿通部を前記挿通孔に挿通したときに前記挿通孔の縁部にクリアランスが形成される請求項６記載のパネル。
【請求項８】
請求項１〜７に記載のパネルを天板付家具の天板に取り付けてなることを特徴とするパネルの取付構造。
【請求項９】
前記立ち上がり片の上端が天板の上面と略面一となる請求項８記載のパネルの取付構造。
【発明の詳細な説明】
【技術分野】
【０００１】
本発明は、オフィス等において好適に用いられている家具の天板に取り付けるためのパネル及び当該パネルを取り付ける構造に関するものである。
【背景技術】
【０００２】
従来、天板付家具の天板の側縁や反使用縁に対し、パネルを天板よりも上方へ延出するように取り付ける構造並びに当該パネルが周知である。
【０００３】
斯かるパネルを天板に取り付けることで、天板面から物が落下することを防いだり、外方からパネルを介して視認し得なくすることで天板付家具を使用する執務者に安心感を与えたりすることができる。そしてこの様なパネルでは、天板への取付箇所が目立たないように、ブラケットなどの取付部材を天板の下面よりも下側に突出するように構成されているのが通例である（例えば、特許文献１参照）。
【先行技術文献】
【特許文献】
【０００４】
【特許文献１】特開２００４−１３６００５号公報
【発明の概要】
【発明が解決しようとする課題】
【０００５】
しかしながら、上記特許文献記載のパネル並びにパネルの取付構造では、取付部材が天板よりも下方に突出しているため、天板下方の空間すなわち下肢空間が有効に利用できないという不具合を包含している。具体的には、脚体へのアクセスや視認性が落ちるといった不具合や、ワゴンといった下肢空間に配置するのが通例である他の家具を配置する自由度が損なわれてしまうという不具合が考えられる。
【０００６】
換言すれば、現状の天板付家具に取り付けるパネルでは、天板下方への突出を極力抑えることにより、下肢空間を利用する自由度を有効に高めたいという要望が存在しているというのが現状である。
【０００７】
本発明は、上記のような課題を解消することを目的としており、天板付家具の下肢空間を有効に利用し得るパネル並びにパネルの取付構造を提供することを目的とするものである。
【課題を解決するための手段】
【０００８】
本発明は、かかる目的を達成するために、次のような手段を講じたものである。
【０００９】
すなわち、本発明に係るパネルは、天板付家具の天板の縁部下端から上方へ向けて立設される立ち上がり片と、この立ち上がり片に取り付けられるパネル本体と、前記立ち上がり片とともに前記パネル本体を挟持する押さえ片と、前記立ち上がり片と一体をなし天板の下面に固定される板状をなす水平片とを具備することを特徴とする。
【００１０】
また本発明に係るパネルの取付構造は、上記パネルを天板付家具に取り付けてなることを特徴とする。
【００１１】
このようなものであれば、天板下面の下方には最大水平片の厚み寸法しか突出しない構成となり下肢空間には殆ど進入することなく、且つパネル本体を確実に保持することができる。これにより、脚体の具体的な位置が外方から明確に視認できたり、ワゴンのような他の家具を配置する自由度を向上させたり、着座者がより自由に足を動かすことができるという効果を得ることができる。すなわち本発明によれば、天板付家具の下肢空間を有効に利用し得るパネル並びにパネルの取付構造を提供する。
【００１２】
パネル本体の下端が天板の下面とほぼ同じ位置とすることで、外方からの見栄えを更に良好なものとするためには、パネル本体の下端を水平片の上端と略同じ高さ位置にあるようにすることが望ましい。
【００１３】
天板への取付箇所の見栄えを良好なものとしつつ、取付後のパネル本体の強度を有効に向上させるためには、押さえ片をパネル本体の略全幅に亘って延出させることが望ましい。
【００１４】
また、天板への取付箇所の見栄えを良好なものとしつつ、取付後のパネル本体の強度を有効に向上させる他の構成として、立ち上がり片がパネル本体の略全幅に亘って延出している構成を挙げることができる。
【００１５】
また、パネル本体の外側に位置付けられた押さえ片又は立ち上がり片をより上方へ延出させて取付後のパネル本体の強度をより向上させても天板付家具の使用者に何ら違和感を与えないようにするためには、パネル本体を透光性を有さない、すなわち有色のものとすることが望ましい。
【００１６】
パネル本体をより強固に天板に取り付け得るようにしつつ、パネル本体に外方から衝撃が加わってもパネル本体が損傷され難いようにするためには、パネル本体を、立ち上がり片及び押さえ片の何れか一方を他方へ向けて突出する挿通部を挿通させるための挿通孔を有するものであり、この挿通孔を、角部分にアールが付された形状とすることが望ましい。
【００１７】
ここで、「角部分にアールが付された形状」とは、角度をなす「角」が無い形状である形状を広く包含する概念であり、例えば楕円や真円形状をも含まれる。
【００１８】
そして取付後のパネル本体が、より損傷され難いようにするためには、挿通孔を、通部の形状よりも大きく形成されたものとし、挿通部を挿通孔に挿通したときに挿通孔の縁部にクリアランスが形成されるようにすることが望ましい。このクリアランスが設けてあるために挿通部又は挿通孔が膨張や衝突し難いものとなる。
【００１９】
そして、外方からの見栄えをより向上させるためには、立ち上がり片の上端を天板の上面と略面一となるようにすることが望ましい。
【発明の効果】
【００２０】
本発明は、以上説明した構成であるから、天板付家具の下肢空間を有効に利用し得るパネル並びにパネルの取付構造を提供することができる。
【図面の簡単な説明】
【００２１】
【図１】本発明の一実施形態に係る外観図。
【図２】同実施形態に係る正面図。
【図３】同右側面図。
【図４】同実施形態に係る分解斜視図。
【図５】同他の分解斜視図。
【図６】図実施形態に係る要部の模式的な断面図。
【図７】図実施形態に係る作用説明図。
【図８】同実施形態の変形例に係る分解斜視図。
【図９】同変形例に係る要部の模式的な断面図。
【発明を実施するための形態】
【００２２】
以下、本発明の一実施形態を、図１〜図７を参照して説明する。
【００２３】
本実施形態のパネル１は、例えばエンドパネルとも称されるものであり、天板付家具Ｔの天板７の側縁に取り付けて天板７上方に立設することにより、外方から天板７上面７ａを視認し難くしたり、天板７上面７ａのものが側方から落下し難くなるようにしたりするための所謂「ついたて」として機能するものである。
【００２４】
本明細書ではパネル１の説明に先立ち、パネル１を取り付ける対象である天板付家具Ｔの説明をまず行う。
【００２５】
天板付家具Ｔは、床面から立設される脚体６と、この脚体６に下方から支持された複数の天板要素７１からなる天板７と、この天板７に取り付けられ、使用者が天板７上にて使用する電子機器を好適に使用し得るよう電源等の各種ケーブルを案内するための配線誘導機構８とを有している。
【００２６】
脚体６は、両側端に設けられ平面視天板７の隅部分に配されることで安定して天板７を支持するための端部脚６１と、これら両端部脚６１間に介在し、天板７の短寸方向中央に位置付けられることで使用者の足の動きに干渉し難い構成を有する中間脚６２と、これら端部脚６１、中間脚６２に固定され且つ天板７を下方より支持する天板支持体６３とを有している。
【００２７】
端部脚６１は、平面視天板７の隅部近傍にて床面に接地するアジャスタ６１ａと、このアジャスタ６１ａから立ち上がる脚本体６１ｂとを有している。この脚本体６１ｂは、例えばアルミダイキャスト等によって成形され、床面から若干斜め上方向に立ち上がりつつ上端が天板７の下面７ｂに固定されてなる。
【００２８】
中間脚６２は、平面視天板７の短寸方向中央付近において四箇所に設けられたアジャスタ６２ａと、このアジャスタ６２ａから直上へ立設された四角筒状をなす筒状体６２ｂと、この筒状体６２ｂの上端に設けられ、天板７の長手方向が連通するよう一部を凹ませることにより設けられたダクト連通孔６２ｃ（図３）とを有している。
【００２９】
天板支持体６３は、上述した端部脚６１間を横架しつつ天板７の下面７ｂに固定された第一フレーム６３ａと、この第一フレーム６３ａの中間位置における２箇所から天板７の長手方向へ延出する第二フレーム６３ｂと、中間脚６２の上端に固定されつつ隣接する天板要素７１同士を連結固定するための連結機構６３ｃとを有している。この連結機構６３ｃは、天板７の短寸方向中央において中間脚６２に固定されながら同短寸方向に延び天板要素７１同士を強固に固定しつつ支持し、更に第二フレーム６３ｂの一端に連結している。
【００３０】
天板７は、本実施形態では天板支持体６３によって短寸方向に付き合わされた状態で固定された二枚の天板要素７１同士を、更に長手方向に連結することによって構成されている。その結果本実施形態では、長手方向の縁部をそれぞれ使用縁７ｃとすることで使用者同士が向かい合って執務やミーティングを行い得るようにする態様が実現されている。そして天板７は、上面７ａにおいて使用者による仕様に応じつつ、下面７ｂ側においては脚体６等を固定するための各種の加工が施されている。なかでも天板７の側縁近傍には、本実施形態に係るパネル１を取り付けるためのパネル取付部７２が設けられている。このパネル取付部７２は、天板７の下面７ｂの所定位置においてパネル１をねじ止め固定するためのものであり、底面視（平面視）二箇所に設けられたねじ穴であるパネル取付穴７４とを有している。
【００３１】
配線誘導機構８は、天板７の短寸方向中央且つ長手方向全域に亘って配線を案内、誘導すべく設けられたものであり、各天板要素７１に対応して設けられている。この配線誘導機構８は、天板７下方において配線を載置、案内するための樋状をなす配線ダクト８１と、天板７の上面７ａの略面一に配された状態で配線ダクト８１の上側を閉止しつつ回転動作により配線ダクト８１上側を開閉可能に構成した開閉蓋８２とを有している。配線ダクト８１は、横断面視チャネル状をなすダクト本体８３と、天板要素７１からこのダクト本体８３を懸吊支持するための懸吊部材８４とを有している。そして一方のダクト本体８３に案内された配線は、中間脚６２に設けられたダクト連通孔６２ｃを通って他方のダクト本体８３へと案内することも可能である。また上記中間脚６２における筒状体６２ｂ内部は、外部からの配線を配線誘導機構８へ案内する機能も有しているが、斯かる点については既存の構成を種々利用し得るため、詳細な説明は省略する。
【００３２】
そして上述の通り、本実施形態では、天板７の側縁近傍に設けられたパネル取付部７２を利用して、エンドパネルとしてのパネル１を取り付けることが可能となっている。
【００３３】
ここで、本実施形態に係るパネル１は、天板付家具Ｔの天板７の縁部下端たる下面７ｂから上方へ向けて立設される立ち上がり片２と、この立ち上がり片２に取り付けられるパネル本体３と、立ち上がり片２とともにパネル本体３を挟持する押さえ片４と、立ち上がり片２と一体をなし天板７の下面７ｂに固定される板状をなす水平片５とを具備することを特徴とする。また上記パネル取付部７２に当該パネル１を取り付ける構造が、本実施形態に係るパネル１の取付構造Ｘである。
【００３４】
以下、本実施形態に係るパネル１の各構成要素について、特に図４〜図７に示して説明する。本実施形態では、パネル本体３を天板７に取り付けるべく立ち上がり片２及び水平片５を横断面視Ｌ字状をなすように一体に構成しながら、パネル本体３の内側から立ち上がり片２を当てつつ外側から押さえ片４を挟持する構成としている。すなわち、パネル本体３以外の構成要素である立ち上がり片２、押さえ片４及び水平片５は、所謂ブラケットの作用を果たしている。
【００３５】
立ち上がり片２は、本実施形態では図４、図５及び図６に示すように、下端部分を水平片５に一体的に接続されながら内側が天板７の側縁に密着しつつ外側においてパネル本体３の天板７に近い内側下端付近の領域に密着するものである。この立ち上がり片２は、パネル本体３の略全幅に亘って延出している板状をなす立設板２１と、この立設板２１における長手方向に等間隔に三箇所設けられた開口であるねじ挿通孔２２とを有している。そしてこの立ち上がり片２の上端は、天板７の上面７ａと略同じ高さに設定されている。
【００３６】
パネル本体３は、図４、図５及び図６に示すように、幅寸法を天板要素７１の短寸方向の寸法と略同じ長さを有する矩形状をなし、透光性を有さない有色を呈したアクリル板３１を主体とするものである。このパネル本体３は、当該アクリル板３１と、このアクリル板３１の下部分に設けられた開口である挿通孔３２とを有している。そしてこのパネル本体３の下端３ａは、天板７の下面７ｂと略同じ高さに設定されており、パネル本体３取付時に当該パネル本体３が不要に下方に垂下し、天板付家具Ｔの下肢空間に不要に干渉することはない。また挿通孔３２は、概略矩形状を呈しつつ、その角部分３３に丸み、すなわちアール３４が付された形状をなしている。これにより、挿通孔３２の縁部３２ａに不要や角は形成されていない。
【００３７】
押さえ片４は、図４、図５及び図６に示すように、パネル本体３の幅寸法と略同じ寸法の長さ、すなわち略全幅に亘って延出する板金素材からなる延出板４１と、この延出板４１に例えば溶接により一体的に接続された挿通部たる板ナット４２とを有している。延出板４１は、パネル本体３における天板７から遠い外側から密着するものである。また延出板４１の上端４ａすなわち押さえ片４の上端４ａは、天板７の上面７ａよりも上側に位置付けられている。しかしながら上述の通りパネル本体３は透光性を有さない有色をなしているので、天板付家具Ｔの使用者からは延出板４１の上端４ａは視認し得ない。板ナット４２は、パネル本体３の挿通孔３２の寸法に対応した外形をなしたものであり、立ち上がり片２側に接続するためのビスｂ（図６）に対応した雌ねじ孔４３と、この雌ねじ孔４３の両側に設けられた開口である肉盗み４４とを有している。
【００３８】
水平片５は、図４、図５及び図６に示すように、天板７のパネル取付部７２にねじ止めされてなる水平方向に延びる板状のものであり、一端側が上記立ち上がり片２に一体に構成されている。そして上述した通り、パネル本体３の下端３ａは天板７の下面７ｂと略同じ高さであるということは、当該パネル本体３の下端３ａは、この水平片５の上端５ａと略同じ高さ位置に位置付けられている。水平片５は、金属板からなる取付板５１と、この取付板５１に溶接により一体的に接合されてなる補強プレート５３と、天板７に対してねじ止めするために設けられた開口である取付孔５２とを有している。
【００３９】
そして本実施形態に係るパネル１は図７に特に示すように、立ち上がり片２及び押さえ片４の何れか一方を他方へ向けて突出する挿通部である板ナット４２を挿通させるための挿通孔３２を有するものであり、この挿通孔３２が、角部分３３にアール３４が付された形状をなす。また、パネル本体３に設けられた挿通孔３２が、板ナット４２の形状よりも大きく形成されたものであり、板ナット４２を挿通孔３２に挿通したときに挿通孔３２の縁部３２ａにクリアランスｃが形成されている。これにより、パネル本体３に不要な外力が掛かったり、温度条件等によりパネル本体３や押さえ片４が不要に収縮をしたりしたとしても、アクリルからなるパネル本体３は挿通孔３２の一部分に応力が集中してしまうということがない。また勿論、挿通孔３２の縁部３２ａに対し板ナット４２が当たったとしても挿通孔３２には角部分３３にアール３４が付された形状をなしている。そのため、挿通孔３２に過度の衝撃が加わることはない。
【００４０】
＜変形例＞
【００４１】
以下、本実施形態の変形例について説明する。当該変形例について、上記実施形態の構成要素に相当するものについては同じ符号を付すとともに、その詳細な説明を省略する。
【００４２】
上記実施形態では、立ち上がり片２がパネル本体３の内側から接し、押さえ片４がパネル本体３の外側から接しながらパネル本体３を挟持する態様を開示した。しかしながら勿論、本発明は上記実施形態の態様に限られない。
【００４３】
すなわち本変形例を示す図８及び図９は、立ち上がり片２がパネル本体３の外側から接し、押さえ片４がパネル本体３の内側から接しながらパネル本体３を挟持する態様を図示している。このような態様をなすものであっても上記実施形態同様の作用効果を奏する。
【００４４】
以上のように、本実施形態に係るパネル１並びにパネル１の取付構造Ｘは、天板付家具Ｔの天板７の縁部下端から上方へ向けて立設される立ち上がり片２と、この立ち上がり片２に取り付けられるパネル本体３と、立ち上がり片２とともにパネル本体３を挟持する押さえ片４と、立ち上がり片２と一体をなし天板７の下面７ｂに固定される板状をなす水平片５とを具備することを特徴とする。
【００４５】
このように構成することで、天板７下面７ｂの下方には最大水平片５の厚み寸法しか突出しない構成となり下肢空間には殆ど進入することなく、且つパネル本体３を確実に保持することが実現されている。その結果、脚体６の具体的な位置が外方から明確に視認できたり、ワゴンのような他の家具を配置する自由度を向上させたり、着座者がより自由に足を動かすことができるという効果が実現されている。すなわち本実施形態によって、天板付家具Ｔの下肢空間を有効に利用し得るパネル１並びにパネル１の取付構造Ｘが実現された。
【００４６】
パネル本体３の下端３ａが天板７の下面７ｂとほぼ同じ位置とすることで、外方からの見栄えを更に良好なものとするために本実施形態では、パネル本体３の下端３ａを水平片５の上端５ａと略同じ高さ位置にあるようにしている。
【００４７】
天板７への取付箇所の見栄えを良好なものとしつつ、取付後のパネル本体３の強度を有効に向上させるために本実施形態では、押さえ片４をパネル本体３の略全幅に亘って延出させている。
【００４８】
また、天板７への取付箇所の見栄えを良好なものとしつつ、取付後のパネル本体３の強度を有効に向上させるために本実施形態では、立ち上がり片２がパネル本体３の略全幅に亘って延出している構成を適用している。
【００４９】
また、パネル本体３の外側に位置付けられた押さえ片４又は立ち上がり片２をより上方へ延出させて取付後のパネル本体３の強度をより向上させても天板付家具Ｔの使用者に何ら違和感を与えないようにするために本実施形態では、パネル本体３を透光性を有さない、すなわち有色のものとしている。
【００５０】
パネル本体３をより強固に天板７に取り付け得るようにしつつ、パネル本体３に外方から衝撃が加わってもパネル本体３が損傷され難いようにするために本実施形態では、パネル本体３を、立ち上がり片２及び押さえ片４の何れか一方を他方へ向けて突出する挿通部たる板ナット４２を挿通させるための挿通孔３２を有するものであり、この挿通孔３２を、角部分３３にアール３４が付された形状としている。
【００５１】
そして取付後のパネル本体３が、より損傷され難いようにするために本実施形態では、挿通孔３２を、通部の形状よりも大きく形成されたものとし、板ナット４２を挿通孔３２に挿通したときに挿通孔３２の縁部３２ａにクリアランスｃが形成されるようにしている。その結果このクリアランスｃが設けてあるために板ナット４２又は挿通孔３２が膨張や衝突を起こし難いものとなっている。
【００５２】
そして、外方からの見栄えをより向上させるために本実施形態では、立ち上がり片２の上端４ａを天板７の上面７ａと略面一となるようにしている。
【００５３】
以上、本発明の一実施形態について説明したが、各部の具体的な構成は、上述した実施形態のみに限定されるものではなく、本発明の趣旨を逸脱しない範囲で種々変形が可能である。
【００５４】
例えば上記実施形態ではパネルを天板の側縁に取り付けるためのサイドパネルとして開示したが勿論、本発明のパネルは天板の反使用縁に取り付ける、所謂デスクトップパネルとして用いても良い。また上記実施形態ではパネル本体をアクリル製の一枚板を用いる態様を開示したが勿論、パネル本体の素材は既存の種々の態様を利用可能である。
【００５５】
また、天板付家具や水平片、立ち上がり片といったブラケットに相当する部分の具体的な形状や仕様といったその他の詳細な構成も、本発明の趣旨を逸脱しない範囲で種々変形が可能である。
【符号の説明】
【００５６】
１・・・パネル
２・・・立ち上がり片
２ａ・・・立ち上がり片の上端（上端）
３・・・パネル本体
３ａ・・・パネル本体の下端（下端）
３２・・・挿通孔
３２ａ・・・挿通孔の縁部
３３・・・角部分
３４・・・アール
４・・・押さえ片
４２・・・挿通部（板ナット）
５・・・水平片
５ａ・・・水平片の上端（上端）
Ｔ・・・天板付家具
７・・・天板
７ａ・・・天板の上面（上面）
７ｂ・・・天板の下面（下面）
ｃ・・・クリアランス
Ｘ・・・パネルの取付構造
【図１】
2018186861.tif 000003
【図２】
2018186861.tif 000004
【図３】
2018186861.tif 000005
【図４】
2018186861.tif 000006
【図５】
2018186861.tif 000007
【図６】
2018186861.tif 000008
【図７】
2018186861.tif 000009
【図８】
2018186861.tif 000010
【図９】
2018186861.tif 000011